(57)【要約】【課題】スジの少ない、もしくはスジのない良好な印画を形成することが可能な高性能のサーマルヘッド及びサーマルプリンタを提供すること。【解決手段】複数の発熱素子２を直線状に配列するとともに、各発熱素子２の両端に電極配線３を接続し、隣接する発熱素子同士及び隣接する電極配線同士をスリット４で分離して成り、発熱素子２の配列方向と直交する方向に記録媒体を搬送しながら印画を行うサーマルヘッドにおいて、スリット４は、記録媒体の搬送方向に対して傾斜する傾斜部４ａと、記録媒体の搬送方向に対して略平行な非傾斜部４ｂとから成り、傾斜部４ａを発熱素子２よりも記録媒体の搬送方向下流側の領域に、非傾斜部４ｂを隣接する発熱素子２間の領域にそれぞれ配する。【選択図】図１
2005153512.tif 000002
【特許請求の範囲】
【請求項１】
複数の発熱素子を直線状に配列するとともに、各発熱素子の両端に電極配線を接続し、隣接する発熱素子同士及び隣接する電極配線同士をスリットで分離して成り、前記発熱素子の配列方向と直交する方向に記録媒体を搬送しながら印画を行うサーマルヘッドにおいて、
前記スリットは、記録媒体の搬送方向に対して傾斜する傾斜部と、記録媒体の搬送方向に対して略平行な非傾斜部とから成り、前記傾斜部を前記発熱素子よりも記録媒体の搬送方向下流側の領域に、前記非傾斜部を隣接する前記発熱素子間の領域にそれぞれ配したことを特徴とするサーマルヘッド。
【請求項２】
前記傾斜部は、湾曲した形状を呈していることを特徴とする請求項1に記載のサーマルヘッド。
【請求項３】
前記スリットの非傾斜部を記録媒体の搬送方向下流側に向かって延長して形成される延長領域が、隣接するスリットの傾斜部と交差することを特徴とする請求項１または請求項２のいずれかに記載のサーマルヘッド。
【請求項４】
請求項１乃至請求項３に記載のサーマルヘッド上に、記録媒体をサーマルヘッド側に押圧するプラテンローラを配置するとともに、前記プラテンローラが記録媒体を介してサーマルヘッドに接触する接触領域内に、前記スリットの傾斜部を位置させたことを特徴とするサーマルプリンタ。
【請求項５】
請求項３に記載のサーマルヘッド上に、記録媒体をサーマルヘッド側に押圧するプラテンローラを配置するとともに、前記プラテンローラが記録媒体を介してサーマルヘッドに接触する接触領域内に、前記スリットの傾斜部と前記延長領域との交差領域を位置させたことを特徴とするサーマルプリンタ。
【発明の詳細な説明】
【技術分野】
【０００１】
本発明は、発熱素子の発する熱を利用して印画等の動作を行うサーマルヘッド及びそれを用いたサーマルプリンタに関するものである。
【背景技術】
【０００２】
従来より、ファクシミリやビデオプリンタ等の印画デバイスとしてサーマルヘッドが用いられている。
【０００３】
かかる従来のサーマルヘッドは、例えば、図１０に示す如く、基板２１の上面に矩形状を成す複数の発熱素子２２を直線状に配列するとともに、各発熱素子２２の両端に電極配線２３を接続し、これらを保護膜２５で被覆した構造のものが知られている。
【０００４】
このサーマルヘッドを用いて印画を行う場合、感熱紙等の記録媒体を保護膜２５に摺接させつつ発熱素子２２の配列方向と直交する方向に搬送するとともに、外部からの印画データに基づいて複数の発熱素子２２を個々に選択的に発熱させ、その熱を記録媒体に伝達させるプロセスを経る。
【０００５】
なお、上述の発熱素子２２及び電極配線２３は、従来周知の薄膜形成技術、具体的には、発熱素子２２を構成する電気抵抗材料からなる抵抗体層と、電極配線２３を構成する金属材料からなる金属層とを従来周知のスパッタリング法やＣＶＤ法、蒸着法等を用いて基板２１上に順次積層するとともに、該積層体を従来周知のフォトリソグラフィー技術及びエッチング技術を採用することで所定パターンに加工することによって形成される。その際、抵抗体層や金属層には、発熱素子２２と電極配線２３の外形に沿ってスリット２４が形成され、かかるスリット２４によって隣接する発熱素子同士、隣接する電極配線同士が分離される。このスリット２４は通常、記録媒体の搬送方向に対して略平行な方向に０．２μｍ〜３μｍの深さで形成される。
【０００６】
また発熱素子２２や電極配線２３を被覆する保護膜２５は、発熱素子２２や電極配線２３が大気中の水分等によって腐食されるのを防止するためのものであり、発熱素子２２や電極配線２３が設けられた基板２１上に３μｍ〜１０μｍの厚みに形成される。このとき、保護膜２５の表面には上述したスリット２４に応じた窪みが形成されている。
【特許文献１】特開平７−２２７９８４号公報
【特許文献２】特開平５−２４２３８号公報
【特許文献３】特開平８−２９５０４２号公報
【発明の開示】
【発明が解決しようとする課題】
【０００７】
しかしながら、上述したサーマルヘッドにおいては、記録媒体を保護膜２５に対して摺接させながら印画を行うと、記録媒体が保護膜２５の窪みに食い込みながら搬送されることから、記録媒体にはスリット２４の形成方向に沿ったシワが形成されてしまう。その結果、スジの入った印画が形成されてしまい、印画品質が低下するという課題があった。
【０００８】
一方、上述の特許文献１乃至３には、上述のスリットを傾斜させたサーマルヘッドが記載されているものの、これらの場合、発熱素子の形状が平行四辺形であることから、印画ドットの形状が歪んでしまう上に、発熱素子の角部付近で発熱温度が極端に低くなって印画ドットが小さくなってしまうという課題があった。
【０００９】
本発明は上記課題を解決すべく案出されたものであり、その目的はスジの少ない、もしくはスジのない良好な印画を形成することが可能な高性能のサーマルヘッド及びサーマルプリンタを提供することにある。
【課題を解決するための手段】
【００１０】
本発明のサーマルヘッドは、複数の発熱素子を直線状に配列するとともに、各発熱素子の両端に電極配線を接続し、隣接する発熱素子同士及び隣接する電極配線同士をスリットで分離して成り、前記発熱素子の配列方向と直交する方向に記録媒体を搬送しながら印画を行うサーマルヘッドにおいて、前記スリットは、記録媒体の搬送方向に対して傾斜する傾斜部と、記録媒体の搬送方向に対して略平行な非傾斜部とから成り、前記傾斜部を前記発熱素子よりも記録媒体の搬送方向下流側の領域に、前記非傾斜部を隣接する前記発熱素子間の領域にそれぞれ配したことを特徴とするものである。
【００１１】
また本発明のサーマルヘッドは、前記傾斜部が、湾曲した形状を呈していることを特徴とするものである。
【００１２】
更に本発明のサーマルヘッドは、前記スリットの非傾斜部を記録媒体の搬送方向下流側に向かって延長して形成される延長領域が、隣接するスリットの傾斜部と交差することを特徴とするものである。
【００１３】
一方、本発明のサーマルプリンタは、上述のサーマルヘッド上に、記録媒体をサーマルヘッド側に押圧するプラテンローラを配置するとともに、前記プラテンローラが記録媒体を介してサーマルヘッドに接触する接触領域内に、前記スリットの傾斜部を位置させたことを特徴とするものである。
【００１４】
また本発明のサーマルプリンタは、上述のサーマルヘッド上に、記録媒体をサーマルヘッド側に押圧するプラテンローラを配置するとともに、前記プラテンローラが記録媒体を介してサーマルヘッドに接触する接触領域内に、前記スリットの傾斜部と前記延長領域との交差領域を位置させたことを特徴とするものである。
【発明の効果】
【００１５】
本発明によれば、隣接する発熱素子同士、隣接する電極配線同士を分離するスリットを、記録媒体の搬送方向に対して傾斜する傾斜部と、記録媒体の搬送方向に対して略平行な非傾斜部とで構成するとともに、前記傾斜部を前記発熱素子よりも記録媒体の搬送方向下流側の領域に、前記非傾斜部を隣接する前記発熱素子間の領域にそれぞれ配したことから、印画の際に、記録媒体の搬送方向に対して略平行に配されるスリットの非傾斜部によって記録媒体に搬送方向に沿ったシワが形成されたとしても、スリットの傾斜部によって記録媒体のシワが伸ばされ、シワを少なくすることができる。その結果、スジの少ない、もしくはスジのない良好な印画を得ることが可能となり、印画品質が向上する。
【００１６】
しかも、本発明によれば、スリット全体を傾斜させているのではなく、発熱素子よりも記録媒体の搬送方向下流側でスリットを傾斜させ、発熱素子間の領域ではスリットを傾斜させていないため、発熱素子が対称的な形状に保持され、発熱素子の角部付近においても比較的高い温度で発熱させることができる。従って、印画ドットを歪みの少なくバランスのとれた良好な形状とすることが可能となり、これによっても印画品質の向上に寄与できる。更に本発明によれば、前記傾斜部が湾曲した形状を呈している場合であっても、同様に記録媒体のシワが伸ばすことができる。
【００１７】
また本発明によれば、前記スリットの非傾斜部を記録媒体の搬送方向下流側に向かって延長して形成される延長領域が、隣接するスリットの傾斜部と交差するようにすることにより、発熱素子の配列領域全体にわたりスリットの傾斜部が存在するようになる。従って、記録媒体のシワ伸ばしを発熱素子の配列領域全体にわたり行うことが可能となり、更なる印画品質の向上に供することができる。
【００１８】
更に本発明によれば、プラテンローラが記録媒体を介してサーマルヘッドに接触する接触領域内に、前記スリットの傾斜部を位置させることにより、記録媒体をスリットの傾斜部に対して強く押圧することができ、シワ伸ばし効果を高めることができる。
【００１９】
また更に本発明によれば、前記スリットの傾斜部と前記延長領域との交差領域を前記接触領域内に位置させることにより、発熱素子の配列領域全体にわたって記録媒体をスリットの傾斜部に強く押圧することができる。それ故、記録媒体のシワ伸ばし効果を極めて高いものとすることが可能となる。
【発明を実施するための最良の形態】
【００２０】
以下、本発明を添付図面に基づいて詳細に説明する。
【００２１】
図１は本発明の一実施形態に係るサーマルヘッドの平面図、図２は図１のサーマルヘッドのＸ−Ｘ’線断面図、図３は図１のサーマルヘッドのＹ−Ｙ’線断面図であり、これらのサーマルヘッドは、基板１上に複数の発熱素子２や電極配線３、保護膜５等を設けた構造を有している。
【００２２】
基板１は、アルミナセラミックス等の絶縁材料や、表面に酸化膜が被着された単結晶シリコン等、種々の材料により長方形状に形成されており、その上面で発熱素子２や電極配線３、保護膜５を支持する支持母材として機能する。
【００２３】
このような基板１は、アルミナセラミックスから成る場合、例えば、アルミナ、シリカ、マグネシア等のセラミックス原料粉末に適当な有機溶剤、溶媒を添加・混合して泥漿状と成すとともに、これを従来周知のドクターブレード法やカレンダーロール法等を採用することによってセラミックグリーンシートを得、しかる後、該グリーンシートを所定形状に打ち抜き加工した上、これを高温（約１６００℃）で焼成することによって製作される。
【００２４】
また、基板１の上面に被着されている複数の発熱素子２は、後述するスリット４を介して３００ｄｐｉ（dot per inch）の密度で直線状に被着・配列されており、その各々がＴａＳｉＯ系やＴａＳｉＮＯ系、ＴｉＳｉＯ系、ＴｉＳｉＣＯ系、ＮｂＳｉＯ系の電気抵抗材料から成る抵抗体層から成っている。
【００２５】
発熱素子２は、各々が矩形状（例えば、主走査方向の幅６５μｍ、副走査方向の幅１１０μｍ）を成すように形成され、その両端に接続される一対の電極配線３等を介して電源電力が印加されるとジュール発熱を起こし、感熱紙などの記録媒体に印画を形成するのに必要な所定の温度（２５０℃〜４００℃）になる。
【００２６】
一方、発熱素子２の両端に接続される電極配線３は、アルミニウムや銅等の金属材料からなる金属層により所定パターンに形成されており、発熱素子２の一端側では複数の発熱素子２に共通に接続される共通電極配線３ａとして、発熱素子２の他端側では各発熱素子２と図示しないドライバーＩＣとを接続する個別電極配線３ｂとして機能する。なお、この電極配線３についても、隣接する電極配線同士が後述するスリット４によって分離されている。
【００２７】
そして上述した如く、隣接する発熱素子同士、隣接する電極配線同士は、スリット４によって分離されている。
【００２８】
このスリット４は、記録媒体の搬送方向に対して傾斜する方向に配される傾斜部４ａと、記録媒体の搬送方向と略平行な方向に配される非傾斜部４ｂとで構成されている。スリット４の傾斜部４ａは発熱素子２よりも記録媒体の搬送方向下流側の領域に配され、一方、スリット４の非傾斜部４ｂは隣接する発熱素子間の領域、並びに、発熱素子２よりも記録媒体の搬送方向上流側の領域に配されている。
【００２９】
このようなスリット４は、隣接する発熱素子２や隣接する電極配線３を分離するとともに、非傾斜部４ｂで発熱素子２の形状を対称的な形状に保持する作用を為し、これによって発熱素子２を左右対称な歪みの少ない形状とし、且つ発熱素子２の角部付近においても比較的高い温度で発熱させることができる。従って、印画ドットを歪みの少なくバランスのとれた良好な形状とすることが可能となり、印画品質の向上に寄与できる。
【００３０】
またスリット４は、傾斜部４ａが記録媒体の搬送方向に対して傾斜しているため、この上を通過する記録媒体はスリット４によってアイロンされた状態となる。従って、非傾斜部４ｂ上を記録媒体が通過する際に、非傾斜部４ｂのスリット４によって記録媒体にシワが形成されたとしても、その後、傾斜部４ａによって記録媒体に形成されたシワが伸ばされる。その結果、記録媒体に形成されるシワを少なくすることができ、スジの少ない、もしくはスジのない良好な印画を得ることが可能となり、印画品質の向上に供することができる。
【００３１】
また、この傾斜部４ａは、図５に示す如く、スリット４の非傾斜部４ｂの延長領域が、隣接するスリット４の傾斜部４ａに対して交差する程度にまで傾斜させることが好ましい。この場合、発熱素子２の配列領域全体にわたりスリット４の傾斜部４ａが存在するようになり、記録媒体のシワ伸ばしを発熱素子２の配列領域全体にわたり行うことが可能となる。その結果、更なる印画品質の向上に供することができる。
【００３２】
また傾斜部４ａの記録媒体搬送方向に対する傾斜角α（図）は、０°＜α≦９０°であればよく、この範囲にあれば、記録媒体のシワを確実に伸ばすことができる。尚、好ましくは、傾斜部４ａの記録媒体搬送方向に対する傾斜角αを６０°以下に設定することが好ましい。傾斜角αが６０°よりも大きいと、傾斜部の電極配線の幅（配線の延在方向に対して直交する方向の幅）が狭くなりすぎてこの領域で電気抵抗が大きくなり、消費電力が大きくなるおそれがあるからである。なお、スリット４の幅は５μｍ〜２０μｍに設定することが好ましい。
【００３３】
これまで述べたような発熱素子２、電極配線３及びスリット４は、従来周知の薄膜形成技術、例えば、スパッタリング、フォトリソグラフィー技術、エッチング技術等を採用することによって製作される。具体的には、まずＴａＳｉＯ等の抵抗材料とアルミニウム等の金属材料を従来周知のスパッタリングにより基板１の上面に順次積層させることによって抵抗体層及び金属層からなる積層体（抵抗体層の厚み０．０５μｍ〜０．２μｍ、金属層の厚み０．１μｍ〜１．３μｍ）を形成し、これを従来周知のフォトリソグラフィー技術及びエッチング技術にて微細加工することにより、抵抗体層及び金属層の双方を除去してスリット４を形成するとともに、発熱素子２に対応する領域の金属層を除去して抵抗体層を露出させることで発熱素子２及び電極配線３を形成する。
【００３４】
一方、上述の発熱素子２や電極配線３上には保護膜５が被着されており、該保護膜５によって発熱素子２や電極配線３が共通に被覆されている。
【００３５】
保護膜５は、発熱素子２や電極配線３を大気中に含まれている水分等の接触による腐食や記録媒体の摺接による磨耗から保護するためのものであり、ＳｉＣやＳｉＮ系、ＳｉＯ系、ＳｉＯＮ系等の無機質材料やガラス等により形成される。
【００３６】
この保護膜５は、例えば３μｍ〜１０μｍの厚みに形成されており、その表面には上述のスリット４の形状に応じた窪みが形成される。このため、印画動作時、記録媒体を保護膜５に対して強く摺接させると、スリット４の非傾斜部４ｂに応じた保護膜５の窪みに記録媒体が食い込み、記録媒体にシワが形成されるものの、傾斜部４ａに応じた保護膜５の窪みによって記録媒体のシワが伸ばされることとなるため、記録媒体のシワを少なくすることができ、スジの少ない良好な印画の形成が可能となる。
【００３７】
なお、保護膜５は、例えば従来周知の薄膜形成技術（スパッタリング法、蒸着法、ＣＶＤ法など）、あるいは厚膜形成技術（スクリーン印刷法、ディスペンサー法など）によって形成され、例えば、薄膜形成技術のうちのスパッタリング法によってＳｉＣ系の保護膜を形成する場合、スパッタリング装置のチャンバー内に、炭素（Ｃ）及び珪素（Ｓｉ）が混在する焼結体から成るターゲット材と、発熱素子２及び電極配線３が形成された基板１とをそれぞれ配置させ、次に、前記チャンバー内にアルゴンガスを導入しながら前記ターゲット材と基板１との間に所定の電力を印加し、ターゲット材の構成材料をアルゴンでスパッタリングすることによってターゲット材の一部を基板１に対して被着させることによって形成される。
【００３８】
また厚膜形成技術のうちのスクリーン印刷法によってガラスからなる保護膜５を形成する場合、ガラス粉末を有機溶剤・溶媒に混合してペースト状と成すとともに、これをスクリーン印刷法によって基板上に塗布し、該塗布したガラスペーストを例えば４００℃〜５００℃の温度で約３０分間焼成することによって形成される。
【００３９】
かくして上述したサーマルヘッドは、感熱紙等の記録媒体を発熱素子２の配列と直交する方向に搬送しながら、外部からの画像データに基づいて複数の発熱素子２を個々に選択的にジュール発熱させるとともに、その熱を発熱素子２上の記録媒体に伝達させ、印画を形成することによってサーマルヘッドとして機能する。
【００４０】
そして、上述のようなサーマルヘッドが組み込まれるサーマルプリンタには、図４に示す如く、記録媒体をサーマルヘッドＴの発熱素子２上に搬送する搬送手段として、プラテンローラ１０や搬送ローラ１１等が配設される。
【００４１】
プラテンローラ１０は、ＳＵＳ等の金属から成る軸芯の外周にブタジエンゴム等を３ｍｍ〜１５ｍｍ程度の厚みに巻きつけた円柱状の部材であり、サーマルヘッドＴの発熱素子２上に回転可能に支持され、その回転で記録媒体を発熱素子２の配列と直交する方向（図中の矢印方向）に搬送する。
【００４２】
またプラテンローラ１０は、その表面が記録媒体を介してサーマルヘッドＴの保護膜５に接触しており、その接触領域Ｓで記録媒体を発熱素子２上の保護膜５の表面に押圧している。
【００４３】
このとき、保護膜５の表面にはスリット４の非傾斜部４ｂの形状に応じた窪みによって記録媒体にシワが形成されるものの、非傾斜部４ｂを通過した後、傾斜部４ａ上の保護膜５の窪みによって記録媒体のシワが伸ばされるため、記録媒体に形成されるシワを少なくすることができ、これによってスジの少ない、もしくはスジのない良好な印画を形成することが可能となる。
【００４４】
またプラテンローラ１０が記録媒体を介してサーマルヘッドＴに接触する接触領域Ｓ内に、前記スリット４の傾斜部４ａと非傾斜部４ｂの延長領域との交差領域を位置させることにより、発熱素子２の配列領域全体にわたって記録媒体をスリット４の傾斜部４ａに強く押圧することができる。それ故、記録媒体のシワ伸ばしの効果を極めて高いものとすることが可能となる。
【００４５】
一方、搬送ローラ１１は、その外周部が金属やゴム等によって形成されており、サーマルヘッドＴに対し記録媒体の搬送方向上流側と下流側に分かれて配設され、これらの搬送ローラ１１と前述のプラテンローラ１０とで記録媒体の走行を支持している。
【００４６】
そして、これと同時に複数の発熱素子２を図示しないドライバーＩＣの駆動に伴い選択的にジュール発熱させ、これらの熱を保護膜５を介し記録媒体に伝達させることによって所定の印画が形成される。
【００４７】
尚、本発明は上述した形態に限定されるものではなく、本発明の要旨を逸脱しない範囲において種々の変更、改良が可能である。
【００４８】
例えば、上述の実施形態においては、発熱素子２の搬送方向下流側にスリット４の非傾斜部４ｂを設けないようにしたが、傾斜部４ａと発熱素子２との間に記録媒体の搬送方向と略平行なスリットの非傾斜部を介在させるようにしても良い。また図６に示すように、スリット４の傾斜部４ａよりも搬送方向下流側にスリット４の非傾斜部４ｂ’を更に設けるようにしても良い。ただし、この場合、下流側の非傾斜部４ｂ’によって記録媒体に再びシワが形成される恐れがあるため、傾斜部４ａよりも搬送方向下流側に非傾斜部４ｂ’を設ける場合は、該非傾斜部４ｂ’を、プラテンローラが記録媒体を介してサーマルヘッドに接触する接触領域Ｓの外側に設けるようにすることが好ましい。
【００４９】
また、上述の実施形態においては、記録媒体として感熱紙を用いる場合について説明したが、記録媒体としてインクリボンと記録紙とを併用する場合についても適用可能である。
【００５０】
更に上述の実施形態において、プラテンローラ１０の中心軸をスリット４の傾斜部４ａ上に配置させるようにすれば、傾斜部４ａ上でのプラテンローラの押圧力を高めることができ、記録媒体のシワ伸ばし効果を更に向上させることが可能となる。
【００５１】
また、上述の実施形態にかえてスリットの傾斜部４ａ’を湾曲させてもよい。更にこの湾曲は１回でなくてもよく複数回湾曲させて蛇行状にしてもよい（図７（ａ），（ｃ），（ｅ）参照）。要は、傾斜部形成領域におけるスリットの終端が隣接するスリットの非傾斜部４ｂ間の延長領域に位置するように形成すればよい。
【００５２】
更に上述の実施形態においては傾斜部を一方方向にのみ延在させたが、これにかえて非傾斜部から延在する一本のスリットを傾斜部形成領域において２つに分岐させたＹ字状構造やＴ字状構造にしてもよい（図７（ｂ），（ｃ），（ｄ），（ｆ）参照）。このようにすると、一方方向にのみ傾斜部４ａを形成した場合のように、記録媒体搬送の際に傾斜部４ａからの抗力を受けて記録媒体が横ずれをすることがなく、記録媒体の搬送をスムーズに行うことができる。
【００５３】
更に上述の実施形態では、発熱素子２を挟んで記録媒体の搬送方向下流側に共通電極配線４ａを、上流側に個別電極配線４ｂをそれぞれ形成したサーマルヘッドについて説明したが、これにかえて図９に示すように、記録媒体の搬送方向下流側に形成した折返し電極配線３ｃにより隣接する発熱素子２同士を接続することにより発熱素子群を形成してなり、記録媒体の搬送方向上流側で、前記発熱素子群のうちの一の発熱素子２ｂに個別電極配線３ｂを接続し、折返し電極配線３ｃにより前記一の発熱素子２ｂに接続される他の発熱素子２ａに共通電極配線３ａを接続してなる所謂折返し電極型サーマルヘッドにおいて、記録媒体の搬送方向下流側のスリット４ａ、４a”を傾斜させてもよい。
【図面の簡単な説明】
【００５４】
【図１】本発明の一実施形態に係るサーマルヘッドの平面図である。
【図２】図１のサーマルヘッドのＸ−Ｘ’線断面図である。
【図３】図１のサーマルヘッドのＹ−Ｙ’線断面図である。
【図４】図１のサーマルヘッドを組み込んで構成したサーマルプリンタの概略構成図である。
【図５】本発明の他の実施形態に係るサーマルヘッドの平面図である。
【図６】本発明の他の実施形態に係るサーマルヘッドの平面図である。
【図７】（ａ）〜（ｆ）は、それぞれ本発明の他の実施形態に係るサーマルヘッドの要部拡大平面図である。
【図８】本発明の他の実施形態に係るサーマルヘッドの平面図である。
【図９】従来のサーマルヘッドの平面図である。
【符号の説明】
【００５５】
１・・・基板
２・・・発熱素子
３・・・電極配線
３ａ・・・共通電極配線
３ｂ・・・個別電極配線
３ｃ・・・折返し電極配線
４・・・スリット
４ａ、４ａ’、４ａ’’・・・傾斜部
４ｂ、４ｂ’・・・非傾斜部
５・・・保護膜
１０・・・プラテンローラ
１１・・・搬送ローラ
Ｔ・・・サーマルヘッド
Ｓ・・・接触領域
α・・・傾斜角
【図１】
2005153512.tif 000003
【図２】
2005153512.tif 000004
【図３】
2005153512.tif 000005
【図４】
2005153512.tif 000006
【図５】
2005153512.tif 000007
【図６】
2005153512.tif 000008
【図７】
2005153512.tif 000009
【図８】
2005153512.tif 000010
【図９】
2005153512.tif 000011